(57)【特許請求の範囲】
【請求項１】
極端紫外線（ＥＵＶ）放射用のかすめ入射リフレクタであって、
第１範囲のかすめ入射角で前記リフレクタに入射するＥＵＶ放射を少なくとも部分的に反射するように構成された第１ミラー層であって、入射角の該第１範囲に重なり、かつ該第１範囲を超えて及ぶ入射角の第２範囲でＥＵＶ放射を透過させるように構成された第１ミラー層と、
前記第２範囲のかすめ入射角で前記リフレクタに入射し、かつ前記第１ミラー層を通過する、ＥＵＶ放射を反射するように構成された、前記第１ミラー層の下の多層ミラー構造と、
角度の前記第１範囲内にある第３範囲のかすめ入射角でのＥＵＶ放射の向上した反射率をもたらすように構成された、前記第１ミラー層の上の第２ミラー層と、を備える、
かすめ入射リフレクタ。
【請求項２】
前記第１ミラー層は、２０ｎｍ未満の厚さを有する、請求項１に記載のかすめ入射リフレクタ。
【請求項３】
前記第２ミラー層は、１０ｎｍ未満の厚さを有し、０度から１０度未満まで及ぶかすめ入射角の範囲に対して４０％より高い反射率を有する、請求項１又は２に記載のかすめ入射リフレクタ。
【請求項４】
前記第１ミラー層は、前記第２範囲のかすめ入射角でのＥＵＶ放射の向上した反射率をもたらすように、前記多層ミラー構造の表面の一部のみを占める、請求項１乃至３のいずれか１項に記載のかすめ入射リフレクタ。
【請求項５】
前記リフレクタは、６ｎｍ〜７ｎｍの範囲のＥＵＶ波長に対して動作するように構成される、請求項１乃至４のいずれか１項に記載のかすめ入射リフレクタ。
【請求項６】
前記第１ミラー層は、１５ｎｍ〜１７ｎｍの範囲の厚さを有し、ＴｈＯ２から形成され、０度より大きく１２度より小さいかすめ入射角の前記第１範囲に対して４０％より高い反射率を有する、請求項５に記載のかすめ入射リフレクタ。
【請求項７】
かすめ入射角の前記第２範囲は、１２度以上かつ１４度以下であり、
前記多層ミラー構造は、多数の積層エレメントから形成され、各積層エレメントは第１サブユニットと、該第１サブユニットの上の第２サブユニットとを有し、該第２サブユニットは該第１サブユニットの屈折率より低い屈折率を有する、請求項６に記載のかすめ入射リフレクタ。
【請求項８】
前記第１サブユニットおよび前記第２サブユニットの材料は、Ｔｈ、Ｌａ、Ｕ、Ｂ、重金属元素の窒化物、酸化物、ホウ化物、フッ化物、および軽元素の炭化物からなる群から選択される、請求項７に記載のかすめ入射リフレクタ。
【請求項９】
前記リフレクタは、１３ｎｍ〜１４ｎｍの範囲のＥＵＶ波長に対して動作するように構成される、請求項１乃至４のいずれか１項に記載のかすめ入射リフレクタ。
【請求項１０】
前記第１ミラー層は、１５ｎｍ〜１７ｎｍの範囲の厚さを有し、Ｒｕから形成され、０度より大きく２５度より小さいかすめ入射角の前記第１範囲に対して４０％より高い反射率を有する、請求項９に記載のかすめ入射リフレクタ。
【請求項１１】
かすめ入射角の前記第２範囲は、２５度以上かつ３０度以下であり、
前記多層ミラー構造は、多数の積層エレメントから形成され、各積層エレメントは第１サブユニットと、該第１サブユニットの上の第２サブユニットとを有し、該第２サブユニットは該第１サブユニットの屈折率より低い屈折率を有する、請求項１０に記載のかすめ入射リフレクタ。
【請求項１２】
前記第１サブユニットおよび前記第２サブユニットの材料は、Ｍｏ、Ｓｉ、Ｒｕ、およびダイヤモンドライクカーボンからなる群から選択される、請求項１１に記載のかすめ入射リフレクタ。
【請求項１３】
前記多層ミラー構造の周期および組成のうちの少なくとも１つは、最大反射率のかすめ入射角が前記多層ミラー構造にわたって変化するように、前記多層ミラー構造にわたって変化する、請求項１乃至１２のいずれか１項に記載のかすめ入射リフレクタ。
【請求項１４】
請求項１乃至１３のいずれか１項に記載のかすめ入射リフレクタを備える、リソグラフィ装置。
【請求項１５】
極端紫外線（ＥＵＶ）放射を反射するように構成されたかすめ入射リフレクタを製造する方法であって、
多層ミラー構造の上の第１ミラー層と、前記多層ミラー構造の上の表面構造と、前記第１ミラー層の上の第２ミラー層とを堆積することを含み、
前記第１ミラー層は、第１範囲のかすめ入射角で前記リフレクタに入射するＥＵＶ放射を少なくとも部分的に反射するように構成され、該第１ミラー層は、入射角の該第１範囲に重なり、かつ該第１範囲を超えて及ぶ入射角の第２範囲でＥＵＶ放射を透過させるように構成され、前記多層ミラー構造は、前記第２範囲のかすめ入射角で前記リフレクタに入射し、かつ前記第１ミラー層を通過する、ＥＵＶ放射を反射するように構成され、前記第２ミラー層は、角度の前記第１範囲内にある第３範囲のかすめ入射角でのＥＵＶ放射の向上した反射率をもたらすように構成された、
方法。
【請求項１６】
リソグラフィプロセスによりデバイスを製造する方法であって、
パターニングデバイスを、照明システムを介してＥＵＶ放射源からの極端紫外線（ＥＵＶ）放射で照明することと、
前記パターニングデバイスの像を、投影システムを介して前記ＥＵＶ放射の投影によって基板上に投影することと、を含み、
前記照明システムおよび前記投影システムのうちの少なくとも１つは、請求項１乃至１３のいずれか１項に記載のかすめ入射リフレクタを備える、
方法。
【発明の詳細な説明】
【技術分野】
【０００１】
[関連出願の相互参照]
[0001]  本出願は、２０１１年２月２４日に出願された米国仮出願第６１／４４６，２５７の利益を主張し、その全体が参照により本明細書に組み込まれる。
【０００２】
[0002]  本発明は、光学素子、特に、かすめ入射リフレクタに関する。本発明は、さらに、そのようなリフレクタを含むリソグラフィ装置、かすめ入射リフレクタ製造方法、およびＥＵＶリソグラフィによる製品製造方法に関する。
【背景技術】
【０００３】
[0003]  リソグラフィ装置は、所望のパターンを基板上、通常、基板のターゲット部分上に付与する機械である。リソグラフィ装置は、例えば、集積回路（ＩＣ）の製造に用いることができる。その場合、ＩＣの個々の層上に形成される回路パターンを生成するために、マスクまたはレチクルとも呼ばれるパターニングデバイスを用いることができる。このパターンは、基板（例えば、シリコンウェーハ）上のターゲット部分（例えば、ダイの一部、または１つ以上のダイを含む）に転写することができる。通常、パターンの転写は、基板上に設けられた放射感応性材料（レジスト）層上への結像によって行われる。一般には、単一の基板が、連続的にパターニングされる隣接したターゲット部分のネットワークを含んでいる。
【０００４】
[0004]  リソグラフィは、ＩＣならびに他のデバイスおよび／または構造の製造における重要なステップの１つとして広く認識されている。しかし、リソグラフィを使用して作られるフィーチャの寸法が小さくなるにつれ、リソグラフィは、小型ＩＣあるいは他のデバイスおよび／または構造を製造できるようにするための、より重要な要因になりつつある。
【０００５】
[0005]  パターンプリンティングの限界の理論的な推定値は、式（１）に示す分解能のレイリー規準によって与えることができる：
【数１】
0006005069.tif 000002
ここで、λは、使用される放射の波長であり、ＮＡは、パターンを印刷するために使用される投影システムの開口数である。ｋ１は、レイリー定数とも呼ばれるプロセス依存調整係数であり、ＣＤは、印刷されたフィーチャのフィーチャサイズ（またはクリティカルディメンジョン）である。式（１）から、フィーチャの最小印刷可能サイズの縮小は、３つの方法、すなわち露光波長λを短くすること、開口数ＮＡを大きくすること、またはｋ１の値を小さくすること、によって達成可能であるということになる。
【０００６】
[0006]  露光波長を短くし、ひいては最小印刷可能サイズを縮小するために、極端紫外線（ＥＵＶ）放射源を使用することが提案されている。ＥＵＶ放射は、５ｎｍ〜２０ｎｍの範囲内、例えば、１３ｎｍ〜１４ｎｍの範囲内の波長を有する電磁放射である。また、１０ｎｍ未満、例えば、６．７ｎｍや６．８ｎｍなどの５ｎｍ〜１０ｎｍの範囲内の波長を有するＥＵＶ放射を使用できることがさらに提案されている。そのような放射は、極端紫外線または軟Ｘ線と呼ばれる。可能な放射源としては、例えば、レーザ生成プラズマ源、放電プラズマ源、または電子蓄積リングによって与えられるシンクロトロン放射に基づく放射源が含まれる。
【０００７】
[0007]  ＥＵＶ放射は、プラズマを使用して生成することができる。ＥＵＶ放射を生成する放射システムは、燃料を励起してプラズマを供給するレーザと、プラズマを収容するソースコレクタモジュールとを含み得る。プラズマは、例えば、レーザビームを適切な材料（例えば、スズ）の粒子、適切なガス流または蒸気流（Ｘｅガス、Ｌｉ蒸気など）などの燃料に誘導することによって生成することができる。結果として得られるプラズマは、放射コレクタを使用して集光される出力放射、例えば、ＥＵＶ放射を放出する。放射コレクタは、ミラー垂直入射放射コレクタとすることができ、ミラー垂直入射放射コレクタは、放射を受け、その放射をビームに集束させる。ソースコレクタモジュールは、真空環境を提供してプラズマを支持するように配置された囲い構造またはチャンバを含み得る。そのような放射システムは、通常、レーザ生成プラズマ（ＬＰＰ）源と呼ばれる。
【０００８】
[0008]  リソグラフィ装置のようなＥＵＶ光学システムは、法線入射リフレクタ（平面ミラーまたは曲面ミラー）およびかすめ入射リフレクタの両方を含み得る。ＥＵＶ放射の良好なリフレクタを単独で形成する材料が存在しないため、法線入射ミラーを、異なる材料による数十の対の交互層を有する多層構造として構築する必要があり、そのような交互層の組成および厚さは、反射されるべき放射の波長に対して正確に調整される。また、層の厚さ（従って、多層反復構造の周期）は、放射の入射角に関して設定されなければならない。一方、かすめ入射リフレクタは、より簡単な構造、通常、ルテニウム（Ｒｕ）などの単一ミラー面層を有する。両方のタイプのリフレクタにおけるＥＵＶ波長での反射率は、より長い波長でのリフレクタと比較してすでに低く、これは、典型的なＥＵＶリソグラフィシステムはいくつかのミラーを有し得るという理由で、特別の問題である。例えば、ＥＵＶリソグラフィシステムは、９つのミラー、すなわち、照明光学系に２つ、結像光学系に６つ、さらに反射マスクを有し得る。従って、単一ミラーのピーク反射率における１％のわずかな減少であっても、光学システムの光スループットの著しい減少の原因となることが明らかである。
【０００９】
[0009]  入射角が法線に向かって増加するにつれ、かすめ入射リフレクタの反射率は顕著に減少する。本リソグラフィ装置の放射の波長は約１３．５ｎｍであり、（０度がリフレクタの表面に平行であることを意味する場合）Ｒｕ層は、約２５度の入射角までに限って入射放射の５０％を反射する。より多い開口数の源を開発するために、この角度を、数度であっても増加させることができることが有益であろう。放射のより短い波長、例えば６．７ｎｍを有する今後のシステムに関して、かすめ入射角の増加に伴い、かすめ入射ミラーの反射率はさらに急速に低下することが分かっている。やはり、数度であっても許容角度を増加させる能力は、そのようなシステムにおいて達成可能な効率および性能に対して大きく貢献するであろう。
【発明の概要】
【００１０】
[0010]  拡張された角度許容度および高反射率を有するかすめ入射リフレクタを提供することが望ましい。
【００１１】
[0011]  本発明の一実施形態によれば、ＥＵＶ放射用のかすめ入射リフレクタが提供される。このかすめ入射リフレクタは、第１ミラー層と、該第１ミラー層の下の多層ミラー構造とを備える。第１ミラー層は、第１範囲のかすめ入射角でリフレクタに入射するＥＵＶ放射を少なくとも部分的に反射するように、また、入射角の該第１範囲に重なり、かつ該第１範囲を超えて及ぶ入射角の第２範囲でＥＵＶ放射を透過させるように構成される。多層ミラー構造は、第２範囲のかすめ入射角でリフレクタに入射し、かつ第１ミラー層を通過する、ＥＵＶ放射を反射するように構成される。例として、第１ミラー層は、２０ｎｍ未満の厚さを有し得る。
【００１２】
[0012]  本発明の一実施形態において、かすめ入射リフレクタは、第１ミラー層の上の第２ミラー層をさらに備え得る。第２ミラー層は、角度の第１範囲内にある第３範囲のかすめ入射角でのＥＵＶ放射の向上した反射率をもたらすように構成される。例として、第２層は、１０ｎｍ未満の厚さを有してよく、０度から１０度未満まで及ぶかすめ入射角の範囲に対して４０％より高い、場合により５０％を超える反射率を有する。
【００１３】
[0013]  本発明の別の実施形態において、第１ミラー層は、第２範囲のかすめ入射角でのＥＵＶ放射の向上した反射率をもたらすように、多層ミラー構造の表面の一部のみを占め得る。
【００１４】
[0014]  本発明の別の実施形態において、かすめ入射リフレクタは、５ｎｍ〜１０ｎｍの範囲、特に６ｎｍ〜７ｎｍ、例えば、６．５ｎｍ〜６．８ｎｍの範囲のＥＵＶ波長に対して動作するように構成され得る。
【００１５】
[0015]  一例において、第１ミラー層は、１５ｎｍ〜１７ｎｍの範囲の厚さを有してよく、ＴｈＯ２から形成されてよく、０度より大きく１２度より小さいかすめ入射角の第１範囲に対して４０％より高い反射率を有し得る。
【００１６】
[0016]  別の例において、かすめ入射角の第２範囲は、１２度以上かつ１４度以下であり得る。多層ミラー構造は、多数の積層エレメントから形成され得る。各積層エレメントは、第１サブユニットと、該第１サブユニットの上の第２サブユニットとを有し得る。第２サブユニットは、該第１サブユニットの屈折率より低い屈折率を有し得る。
【００１７】
[0017]  さらなる例において、第１サブユニットおよび第２サブユニットの材料は、Ｔｈ、Ｌａ、Ｕ、Ｂ、重金属元素の窒化物、酸化物、ホウ化物、フッ化物、および軽元素の炭化物からなる群から選択され得る。
【００１８】
[0018]  本発明のさらに別の例において、かすめ入射リフレクタは、１３ｎｍ〜１４ｎｍの範囲、例えば、１３．５ｎｍのＥＵＶ波長に対して動作するように構成される。
【００１９】
[0019]  一例において、第１ミラー層は、１５ｎｍ〜１７ｎｍの範囲の厚さを有してよく、Ｒｕから形成されてよく、０度より大きく２５度より小さいかすめ入射角の第１範囲に対して４０％より高い、場合により５０％を超える反射率を有する。
【００２０】
[0020]  別の例において、かすめ入射角の第２範囲は、２５度以上かつ３０度以下であり得る。多層ミラー構造は、多数の積層エレメントから形成され得る。各積層エレメントは、第１サブユニットと、該第１サブユニットの上の第２サブユニットとを有し、該第２サブユニットは、該第１サブユニットの屈折率より低い屈折率を有する。
【００２１】
[0021]  さらなる例において、第１サブユニットおよび第２サブユニットの材料は、Ｍｏ、Ｓｉ、Ｒｕ、およびダイヤモンドライクカーボンからなる群から選択される。
【００２２】
[0022]  本発明のさらに別の実施形態において、多層ミラー構造の周期および組成のうちの少なくとも１つは、最大反射率のかすめ入射角が多層ミラー構造にわたって変化するように、多層ミラー構造にわたって変化する。
【００２３】
[0023]  本発明のさらに別の実施形態において、上述のようなかすめ入射リフレクタを含むリソグラフィ装置が提供される。
【００２４】
[0024]  本発明のさらに別の実施形態において、極端紫外線（ＥＵＶ）放射を反射するように構成されたかすめ入射リフレクタを製造する方法が提供される。この方法は、多層ミラー構造の上の第１ミラー層と、多層ミラー構造の上の表面構造とを堆積することを含む。第１ミラー層は、第１範囲のかすめ入射角でリフレクタに入射するＥＵＶ放射を少なくとも部分的に反射するように、また、入射角の該第１範囲に重なり、かつ該第１範囲を超えて及ぶ入射角の第２範囲でＥＵＶ放射を透過させるように構成される。多層ミラー構造は、第２範囲のかすめ入射角でリフレクタに入射し、かつ第１ミラー層を通過する、ＥＵＶ放射を反射するように構成される。
【００２５】
[0025]  本発明のさらに別の実施形態において、リソグラフィプロセスによりデバイスを製造する方法が提供される。該方法は、パターニングデバイスを、照明システムを介してＥＵＶ放射源からのＥＵＶ放射で照明することと、パターニングデバイスの像を、投影システムを介してＥＵＶ放射の投影によって基板上に投影することと、を含む。該方法において、照明システムおよび投影システムのうちの少なくとも１つは、上述のようなかすめ入射リフレクタを備える。
【００２６】
[0026]  本発明のさまざまな特徴および利点、ならびに本発明のさまざまな実施形態の構造および動作を、添付の図面を参照して以下に詳細に説明する。本発明は、本明細書に記載の特定の実施形態に限定されない。そのような実施形態は、例示のためにのみ本明細書で示される。本明細書の教示に基づいて、追加の実施形態が当業者には明らかであろう。
【図面の簡単な説明】
【００２７】
[0027]  本発明のいくつかの実施形態を、単なる例として、添付の概略図を参照して以下に説明する。これらの図面において同じ参照符号は対応する部分を示す。
【００２８】
【図１】[0028]  図１は、本発明の一実施形態に係る例示的なリソグラフィ装置を示す。
【図２】[0029]  図２は、図１に示す装置１００のより詳細な図である。
【図３】[0030]  図３は、本発明の一実施形態に係る例示的なかすめ入射リフレクタである。
【図４】[0031]  図４は、本発明の別の実施形態に係る例示的なかすめ入射リフレクタである。
【図５】[0032]  図５は、本発明の別の実施形態に係る例示的なかすめ入射リフレクタである。
【図６】[0033]  図６は、本発明の別の実施形態に係る例示的なかすめ入射リフレクタである。
【図７】[0034]  図７は、反射率Ｒに対するＥＵＶ放射かすめ入射角θ（度）での、波長が６．７ｎｍであるＥＵＶ放射のシミュレーションプロットである。
【図８】[0035]  図８は、反射率Ｒに対するＥＵＶ放射かすめ入射角θ（度）での、波長が１３．５ｎｍであるＥＵＶ放射のシミュレーションプロットである。
【図９】[0036]  図９は、本発明の別の実施形態に係る例示的なかすめ入射リフレクタである。
【図１０】[0037]  図１０は、本発明の一実施形態に係るかすめ入射リフレクタの例示的な多層ミラー構造の図である。
【図１１】[0038]  図１１は、入射角θの関数としての多層ミラー構造の周期ｈのシミュレーションプロットである。
【００２９】
[0039]  本発明の特徴および利点は、これらの図面と併せて以下に記載される詳細な説明からより明らかになるであろう。図面において、同じ参照記号は、全体を通じて対応する要素を特定する。図面において、同じ参照番号は、基本的に、同一の、機能的に同様な、および／または構造的に同様な要素を示す。ある要素が初めて登場する図面は、対応する参照番号における左端の数字によって示される。
【発明を実施するための形態】
【００３０】
[0040]  図１は、本発明の一実施形態に係るソースコレクタモジュールＳＯを含むリソグラフィ装置１００を概略的に示している。このリソグラフィ装置は、
−放射ビームＢ（例えば、ＥＵＶ放射）を調整するように構成された照明システム（イルミネータ）ＩＬと、
−パターニングデバイス（例えば、マスクまたはレチクル）ＭＡを支持するように構築され、かつパターニングデバイスを正確に位置決めするように構成された第１ポジショナＰＭに連結されたサポート構造（例えば、マスクテーブル）ＭＴと、
−基板（例えば、レジストコートウェーハ）Ｗを保持するように構築され、かつ基板を正確に位置決めするように構成された第２ポジショナＰＷに連結された基板テーブル（例えば、ウェーハテーブル）ＷＴと、
−パターニングデバイスＭＡによって放射ビームＢに付けられたパターンを基板Ｗのターゲット部分Ｃ（例えば、１つ以上のダイを含む）上に投影するように構成された投影システム（例えば、反射投影システム）ＰＳと、を備える。
【００３１】
[0041]  照明システムとしては、放射を誘導し、整形し、または制御するための、屈折型、反射型、磁気型、電磁型、静電型、またはその他のタイプの光学コンポーネント、あるいはそれらのあらゆる組合せなどのさまざまなタイプの光学コンポーネントを含むことができる。
【００３２】
[0042]  サポート構造ＭＴは、パターニングデバイスの向き、リソグラフィ装置の設計、および、パターニングデバイスが真空環境内で保持されているか否かなどの他の条件に応じた態様で、パターニングデバイスＭＡを保持する。サポート構造は、機械式、真空式、静電式またはその他のクランプ技術を使って、パターニングデバイスを保持することができる。サポート構造は、例えば、必要に応じて固定または可動式にすることができるフレームまたはテーブルであってもよい。サポート構造は、パターニングデバイスを、例えば、投影システムに対して所望の位置に確実に置くことができる。
【００３３】
[0043]  「パターニングデバイス」という用語は、基板のターゲット部分内にパターンを作り出すように、放射ビームの断面にパターンを与えるために使用できるあらゆるデバイスを指していると、広く解釈されるべきである。放射ビームに付与されたパターンは、集積回路などのターゲット部分内に作り出されるデバイス内の特定機能層に対応し得る。
【００３４】
[0044]  パターニングデバイスは、透過型であっても、反射型であってもよい。パターニングデバイスの例としては、マスク、プログラマブルミラーアレイ、およびプログラマブルＬＣＤパネルが含まれる。マスクは、リソグラフィでは公知であり、バイナリ、レベンソン型(alternating)位相シフト、およびハーフトーン型(attenuated)位相シフトなどのマスク型、ならびに種々のハイブリッドマスク型を含む。プログラマブルミラーアレイの一例では、小型ミラーのマトリックス配列が用いられており、各小型ミラーは、入射する放射ビームを様々な方向に反射させるように、個別に傾斜させることができる。傾斜されたミラーは、ミラーマトリックスによって反射される放射ビームにパターンを付ける。
【００３５】
[0045]  照明システムなどの投影システムは、使われている露光放射にとって、あるいは真空の使用といった他の要因にとって適切な、屈折型、反射型、磁気型、電磁型、静電型、またはその他のタイプの光学コンポーネント、あるいはそれらのあらゆる組合せなどのさまざまなタイプの光学コンポーネントを含むことができる。ＥＵＶ放射に対して真空を用いることが望ましいことがある。というのは、他のガスは放射を吸収し過ぎる場合があるからである。従って、真空壁および真空ポンプを用いて、真空環境をビーム経路全体に提供することができる。
【００３６】
[0046]  本明細書に示されているとおり、リソグラフィ装置は、反射型のもの（例えば、反射型マスクを採用しているもの）である。
【００３７】
[0047]  リソグラフィ装置は、２つ（デュアルステージ）以上の基板テーブル（および／または２つ以上のマスクテーブル）を有する型のものであってもよい。そのような「マルチステージ」マシンにおいては、追加のテーブルは並行して使うことができ、または予備工程を１つ以上のテーブル上で実行しつつ、別の１つ以上のテーブルを露光用に使うこともできる。
【００３８】
[0048]  図１を参照すると、イルミネータＩＬは、ソースコレクタモジュールＳＯから極端紫外線放射ビームを受ける。ＥＵＶ光を生成する方法としては、ＥＵＶ範囲の１つ以上の発光線を用いて材料を少なくとも１つの元素、例えばキセノン、リチウム、またはスズを有するプラズマ状態に変換することが含まれるが、必ずしもこれに限定されない。レーザ生成プラズマ（「ＬＰＰ」）と呼ばれることが多いそのような方法において、必要な線発光素子を有する材料の液滴、流れ、またはクラスタなどの燃料をレーザビームで照射することによって、必要なプラズマを生成することができる。ソースコレクタモジュールＳＯは、燃料を励起するレーザビームを供給するための図１に示されないレーザを含むＥＵＶ放射システムの一部であってよい。結果として得られるプラズマは、出力放射、例えばＥＵＶ放射を放出し、この出力放射は、ソースコレクタモジュール内に配置される放射コレクタを使用して集光される。例えば、ＣＯ２レーザを用いて燃料励起のためのレーザビームを供給する場合、レーザおよびソースコレクタモジュールは、別個の構成要素であってもよい。
【００３９】
[0049]  そのような場合には、レーザは、リソグラフィ装置の一部を形成しているとはみなされず、また放射ビームは、レーザからソースコレクタモジュールへ、例えば、適切な誘導ミラーおよび／またはビームエキスパンダを含むビームデリバリシステムを使って送られる。その他の場合においては、例えば、放射源が、ＤＰＰ源と呼ばれることが多い放電生成プラズマＥＵＶジェネレータである場合、放射源は、ソースコレクタモジュールの一体部分とすることもできる。
【００４０】
[0050]  イルミネータＩＬは、放射ビームの角強度分布を調節するアジャスタを含むことができる。一般に、イルミネータの瞳面内の強度分布の少なくとも外側および／または内側半径範囲（通常、それぞれσ-outerおよびσ-innerと呼ばれる）を調節することができる。さらに、イルミネータＩＬは、ファセット視野ミラーデバイスおよびファセット瞳ミラーデバイスといったさまざまな他のコンポーネントを含むことができる。イルミネータを使って放射ビームを調整すれば、放射ビームの断面に所望の均一性および強度分布をもたせることができる。
【００４１】
[0051]  放射ビームＢは、サポート構造（例えば、マスクテーブル）ＭＴ上に保持されているパターニングデバイス（例えば、マスク）ＭＡ上に入射して、パターニングデバイスによってパターン形成される。パターニングデバイス（例えば、マスク）ＭＡから反射された後、放射ビームＢは投影システムＰＳを通過し、投影システムＰＳは、基板Ｗのターゲット部分Ｃ上にビームの焦点をあわせる。第２ポジショナＰＷおよび位置センサＰＳ２（例えば、干渉計デバイス、リニアエンコーダ、または静電容量センサ）を使って、例えば、さまざまなターゲット部分Ｃを放射ビームＢの経路内に位置決めするように、基板テーブルＷＴを正確に動かすことができる。同様に、第１ポジショナＰＭおよび別の位置センサＰＳ１を使い、パターニングデバイス（例えば、マスク）ＭＡを放射ビームＢの経路に対して正確に位置決めすることもできる。パターニングデバイス（例えば、マスク）ＭＡおよび基板Ｗは、マスクアライメントマークＭ１およびＭ２と、基板アライメントマークＰ１およびＰ２とを使って、位置合わせされてもよい。
【００４２】
[0052]  例示の装置は、以下に説明するモードのうち少なくとも１つのモードで使用できる。
【００４３】
[0053]  １．ステップモードにおいては、サポート構造（例えば、マスクテーブル）ＭＴおよび基板テーブルＷＴを基本的に静止状態に保ちつつ、放射ビームに付けられたパターン全体を一度にターゲット部分Ｃ上に投影する（すなわち、単一静的露光）。その後、基板テーブルＷＴは、Ｘおよび／またはＹ方向に移動され、それによって別のターゲット部分Ｃを露光することができる。
【００４４】
[0054]  ２．スキャンモードにおいては、サポート構造（例えば、マスクテーブル）ＭＴおよび基板テーブルＷＴを同期的にスキャンする一方で、放射ビームに付けられたパターンをターゲット部分Ｃ上に投影する（すなわち、単一動的露光）。サポート構造（例えば、マスクテーブル）ＭＴに対する基板テーブルＷＴの速度および方向は、投影システムＰＳの（縮小）拡大率および像反転特性によって決めることができる。
【００４５】
[0055]  ３．別のモードにおいては、プログラマブルパターニングデバイスを保持した状態で、サポート構造（例えば、マスクテーブル）ＭＴを基本的に静止状態に保ち、また基板テーブルＷＴを動かす、またはスキャンする一方で、放射ビームに付けられているパターンをターゲット部分Ｃ上に投影する。このモードにおいては、通常、パルス放射源が採用されており、さらにプログラマブルパターニングデバイスは、基板テーブルＷＴの移動後ごとに、またはスキャン中の連続する放射パルスと放射パルスとの間に、必要に応じて更新される。この動作モードは、前述の型のプログラマブルミラーアレイといったプログラマブルパターニングデバイスを利用するマスクレスリソグラフィに容易に適用することができる。
【００４６】
[0056]  上述の使用モードの組合せおよび／またはバリエーション、あるいは完全に異なる使用モードもまた採用可能である。
【００４７】
[0057]  図２は、ソースコレクタモジュールＳＯと、照明システムＩＬと、投影システムＰＳとを含むリソグラフィ装置１００をより詳細に示している。ソースコレクタモジュールＳＯは、真空環境をソースコレクタモジュールＳＯの囲い構造２２０内に維持することができるように構築および配置される。ＥＵＶ放射放出プラズマ２１０は、放電生成プラズマ源によって形成することができる。ＥＵＶ放射は、ガスまたは蒸気、例えば、Ｘｅガス、Ｌｉ蒸気またはＳｎ蒸気によって生成することができ、非常に高温のプラズマ２１０が生成されて電磁スペクトルのＥＵＶ範囲の放射を放出する。非常に高温のプラズマ２１０は、例えば、少なくとも部分的にイオン化されたプラズマをもたらす放電によって生成される。Ｘｅ、Ｌｉ、Ｓｎ蒸気または他の適切なガスまたは蒸気の、例えば１０Ｐａの分圧が、放射を効率よく発生させるために必要となり得る。一実施形態において、励起されたスズ（Ｓｎ）のプラズマを設けてＥＵＶ放射を生成する。
【００４８】
[0058]  高温のプラズマ２１０が放出する放射は、放射源チャンバ２１１の開口内または開口の後ろに位置決めされる任意のガスバリアまたは汚染物質トラップ２３０（場合によっては汚染物質バリアまたはフォイルトラップとも呼ばれる）を介して、放射源チャンバ２１１からコレクタチャンバ２１２内に送られる。汚染物質トラップ２３０は、チャネル構造を含み得る。また、汚染物質トラップ２３０は、ガスバリア、またはガスバリアとチャネル構造の組合せを含み得る。本明細書でさらに示される汚染物質トラップまたは汚染物質バリア２３０は、当該技術分野で公知のように、チャネル構造を少なくとも含む。
【００４９】
[0059]  コレクタチャンバ２１２は、いわゆるかすめ入射コレクタとすることができる放射コレクタＣＯを含み得る。放射コレクタＣＯは、上流放射コレクタ側２５１と下流放射コレクタ側２５２とを有する。コレクタＣＯを横切る放射は、格子スペクトルフィルタ２４０で反射されて仮想放射源点ＩＦに集束することが可能である。仮想放射源点ＩＦは、一般に中間焦点と呼ばれ、ソースコレクタモジュールは、中間焦点ＩＦが囲い構造２２０の開口２２１に、または開口２２１の付近に位置するように配置される。仮想放射源点ＩＦは、放射放出プラズマ２１０の像である。
【００５０】
[0060]  その後、放射は照明システムＩＬを横切る。照明システムＩＬは、パターニングデバイスＭＡにおける放射ビーム２１の所望の角度分布およびパターニングデバイスＭＡにおける放射強度の所望の均一性を与えるように配置されたファセット視野ミラーデバイス２２およびファセット瞳ミラーデバイス２４を含み得る。サポート構造ＭＴによって保持されるパターニングデバイスＭＡで放射ビーム２１が反射されると、パターン形成されたビーム２６が形成され、パターン形成されたビーム２６は、投影システムＰＳによって、反射要素２８、３０を介して、ウェーハステージまたは基板テーブルＷＴによって保持された基板Ｗ上に結像される。
【００５１】
[0061]  一般に、図示された要素より数の多い要素が照明光学ユニットＩＬおよび投影システムＰＳに存在してよい。格子スペクトルフィルタ２４０は、リソグラフィ装置のタイプによって任意で存在してよい。さらに、図示されたミラーより数の多いミラーが存在してよい。例えば、図２に示すものと比較して、投影システムＰＳ内に追加の１つ〜６つの反射要素が存在してよい。
【００５２】
[0062]  図２に示すコレクタ光学系ＣＯは、コレクタ（またはコレクタミラー）の単なる一例として、かすめ入射リフレクタ２５３、２５４および２５５を有する入れ子式コレクタとして描かれている。かすめ入射リフレクタ２５３、２５４および２５５は、光軸Ｏの周りで軸方向に対称的に配置され、このタイプのコレクタ光学系ＣＯは、ＤＰＰ源と呼ばれることが多い放電生成プラズマ源と組み合わせて使用されることが好ましい。
【００５３】
[0063]  あるいは、ソースコレクタモジュールＳＯは、図３に示すように、ＬＰＰ放射システムの一部とすることができる。レーザＬＡは、キセノン（Ｘｅ）、スズ（Ｓｎ）、またはリチウム（Ｌｉ）などの燃料内にレーザエネルギーを堆積させるように配置され、それによって電子温度が数１０ｅＶの高電離プラズマ２１０が生成される。イオンの脱励起および再結合中に生成されたエネルギー放射は、プラズマから放出され、囲い構造２２０において近垂直入射コレクタ光学系ＣＯによって集光され、開口２２１上に集束される。
【００５４】
[0064]  本明細書において、ＩＣ製造におけるリソグラフィ装置の使用について具体的な言及がなされているが、本明細書記載のリソグラフィ装置が、集積光学システム、磁気ドメインメモリ用のガイダンスパターンおよび検出パターン、フラットパネルディスプレイ、液晶ディスプレイ（ＬＣＤ）、薄膜磁気ヘッド等の製造といった他の用途を有し得ることが理解されるべきである。当業者にとっては当然のことであるが、そのような別の用途においては、本明細書で使用される「ウェーハ」または「ダイ」という用語はすべて、それぞれより一般的な「基板」または「ターゲット部分」という用語と同義であるとみなしてよい。本明細書に記載した基板は、露光の前後を問わず、例えば、トラック（通常、基板にレジスト層を塗布し、かつ露光されたレジストを現像するツール）、メトロロジーツール、および／またはインスペクションツールで処理されてもよい。適用可能な場合には、本明細書中の開示内容を上記のような基板プロセシングツールおよびその他の基板プロセシングツールに適用してもよい。さらに基板は、例えば、多層ＩＣを作るために複数回処理されてもよいので、本明細書で使用される基板という用語は、すでに多重処理層を包含している基板を表すものとしてもよい。
【００５５】
[0065]  光リソグラフィの関連での本発明の実施形態の使用について上述のとおり具体的な言及がなされたが、当然のことながら、本発明は、他の用途、例えば、インプリントリソグラフィに使われてもよく、さらに状況が許すのであれば、光リソグラフィに限定されることはない。インプリントリソグラフィにおいては、パターニングデバイス内のトポグラフィによって、基板上に創出されるパターンが定義される。パターニングデバイスのトポグラフィは、基板に供給されたレジスト層の中にプレス加工され、基板上では、電磁放射、熱、圧力、またはそれらの組合せによってレジストは硬化される。パターニングデバイスは、レジストが硬化した後、レジスト内にパターンを残してレジストの外へ移動される。
【００５６】
[0066]  「レンズ」という用語は、文脈によっては、屈折、反射、磁気、電磁気、および静電型光学コンポーネントを含む様々な種類の光学コンポーネントのいずれか１つまたはこれらの組合せを指すことができる。ＥＵＶリソグラフィにおいて、光学素子は、通常、反射性を有する。「ミラー」という用語は、「リフレクタ」の代替用語として便宜上用いられてよい。意味の違いは意図されていない。
【００５７】
[0067]  図３は、本発明の一実施形態に係る例示的なかすめ入射リフレクタ３００を示している。リフレクタ３００は、極端紫外線に対して動作するように構成される。図３に示すように、かすめ入射リフレクタ３００は、基板３３０上に形成された、第１ミラー層３１０と多層ミラー構造３２０とを含む。
【００５８】
[0068]  第１ミラー層３１０は、第１範囲のかすめ入射でＥＵＶ放射３４０を反射するように構成される。本例の放射は、約１３．５ｎｍの波長を有し得る。例示的な一実施形態において、第１ミラー層３１０は、２０ｎｍ未満の厚さを有する。多層ミラー構造３２０は、第１ミラー層３１０の下にある。ＥＵＶ放射３４０がかすめ入射角の第２範囲のかすめ入射角でリフレクタ３００に入射すると、ＥＵＶ放射３４０は第１ミラー層３１０を通過し得る。多層ミラー構造３２０は、第１ミラー層３１０を通過するＥＵＶ放射３４０を反射するように構成される。例えばＭｏ／Ｓｉの交互層によるそのような構造の設計が関連技術において知られている。本実施形態における用途に関して、構造内の層の組成および周期は、角度の第２範囲内のかすめ入射角に対して選択（調整）される。かすめ入射角の第２範囲は、入射角の第１範囲に重なり、この第１範囲を超えて及ぶ。多層構造の周期は各反復単位の高さを指し、ナノメートル単位で測定され得る。ＥＵＶ波長でのかすめ入射リフレクタに関して、周期は、例えば、数十ナノメートルであり得る。多層構造の組成は、交互層の材料の選択を指し、また、材料の厚さの比率を指す。比率Γは、一般に、一対の層の総厚さ（すなわち、周期）に対する１つの層の厚さの比率として定義される。従って、比率Γ＝０．３を有するＭｏ／Ｓｉ多層は、２８ｎｍのＳｉ層と交互になっている１２ｎｍのＭｏ層を含むことができる。
【００５９】
[0069]  本明細書において「かすめ入射角」または「入射角」という用語は、ミラー面の入射点の接平面に対する角度を意味する。すべて平面ミラーである図示の例において、ゼロ入射角は、ミラー面に平行に進む光線をさす。図３において、例示的なかすめ入射角αおよびβが、第１ミラー層３１０および多層ミラー構造３２０に対してそれぞれ示されている。かすめ入射角αは、かすめ入射角の第１範囲内にある。かすめ入射角βは、かすめ入射角の第２範囲内にある。
【００６０】
[0070]  従って、第１ミラー層３１０を多層ミラー構造３２０とともに、第１ミラー層３１０が第１範囲のかすめ入射角でＥＵＶ放射を反射するように構成され、かつ多層ミラー構造３２０が第２範囲でＥＵＶ放射を反射するように構成されるように、設けることによって、また、第２範囲の放射が単に吸収されるのではなく第１ミラー層を通過するように構成することによって、かすめ入射リフレクタ３００は、第１範囲および第２範囲に及ぶかすめ入射角でリフレクタ３００に入射するＥＵＶ放射を反射することができる。各コンポ３１０、３２０の特性を適切に調整することによって、従来のかすめミラーの角度許容度と比較してＥＵＶ放射に対する角度許容度を有用に拡張することができる。以下に述べるように、同様の原理を適用して他の波長のリフレクタを設計することができる。なお、調整により第１ミラーが多層ミラー構造の層のうちの１つと形状に関して同一になることがある。その場合、第１ミラー層は、多層ミラー構造の上層によって効果的に形成される。ただし、一般に、材料および／または厚さに関して異なり得る。
【００６１】
[0071]  例えば、角度の第１範囲は、ゼロから約２５度まで及び得る一方、第２範囲は、２５度未満から例えば３０度まで及ぶ。なお、「重なる」という用語は、単に、第１ミラー層３１０と多層ミラー構造３２０との複合効果は、連続的な角度範囲にわたって反射率を維持することである、ということを示すために用いられる。個別の層／構造は、それぞれの範囲の重なる部分において、例えば５０％を超える反射率（Ｒ＞０．５）を有する必要はない。所与の入射角でのリフレクタの性能閾値として本例においてＲ＞０．５が用いられるものの、これは単に例のためであり、他の性能閾値を選択することができる。例えば、Ｒ＞０．４（４０％の反射率）が特定の用途において許容性能とみなされてよく、Ｒ＞６０％が別の用途において望まれ得る。
【００６２】
[0072]  図４は、本発明の別の例示的な実施形態に係るかすめ入射リフレクタ４００を示している。かすめ入射リフレクタ４００は、第１ミラー層３１０の上に第２ミラー層３１４を有する点を除いて、図３に示すかすめ入射リフレクタ３００と実質的に同様である。
【００６３】
[0073]  第２ミラー層３１４は、第３範囲のかすめ入射角でＥＵＶ放射を反射するように構成される。第３範囲は、角度の第１範囲内にあり、特に、最も小さいかすめ入射角を含む。第１ミラー層３１０はそのような放射を適当な程度まで反射するが、折り合いをつけて、より高い角度でも反射するように設計される必要がある。第２ミラー層３１４は、第１ミラー層３１０のかすめ入射角より完全に小さいかすめ入射角α’でＥＵＶ放射を反射しながらより大きい角度で放射を透過させて下の層によって反射されるように設計することができる。例示的な一実施形態において、第２ミラー層３１４は、１０ｎｍ未満の厚さを有し、Ｍｏから形成される。第２ミラー層３１４は、例えば０度より大きく１０度より小さくすることができるかすめ入射角の第３範囲に対して５０％（Ｒ＞０．５）より高い反射率を有し得る。
【００６４】
[0074]  図５は、本発明の別の実施形態に係る例示的なかすめ入射リフレクタ５００を示している。かすめ入射リフレクタ５００は、基板５３０上に形成された多層ミラー構造３２０の表面の一部のみを占める第１ミラー層５１０を有する点を除いて、図３に示すかすめ入射リフレクタ３００と実質的に同様である。第１ミラー層５１０は、かすめ入射角のＥＵＶ放射３４０のみ、または主に第１範囲内のＥＵＶ放射３４０が反射されることになる、多層ミラー構造３２０の表面の位置のみに塗布される。その結果、第２範囲のかすめ入射角のＥＵＶ放射３４０は第１ミラー層５１０を通過せずに多層ミラー構造３２０に直接入射する。従って、第１ミラー層５１０は多層ミラー構造の表面の一部のみを占めるという理由により、第２範囲のかすめ入射角でのＥＵＶ放射の反射率が向上する。
【００６５】
[0075]  図６は、本発明の別の実施形態に係る例示的なかすめ入射リフレクタ６００を示している。かすめ入射リフレクタ６００は、第１ミラー層５１０の上に第２ミラー層５１４を有する点を除いて、図５に示すかすめ入射リフレクタ５００と実質的に同様である。
【００６６】
[0076]  第２ミラー層５１４は、第３範囲のかすめ入射角でＥＵＶ放射を反射するように構成される。かすめ入射角の第３範囲は、かすめ入射角の第１範囲に収まる。特に、第２ミラー層５１４は、第１ミラー層５１０のかすめ入射角と比較して最も小さいかすめ入射角でＥＵＶ放射を反射することができる。例示的な一実施形態において、第２ミラー層５１４は、１０ｎｍ未満の厚さを有する。第２ミラー層５１４は、Ｍｏから形成され得る。第２ミラー層５１４は、例えば０度より大きく１０度より小さい場合があるかすめ入射角の第３範囲に対して５０％より高い反射率を有し得る。
【００６７】
[0077]  本発明の例示的な別の実施形態において、かすめ入射は、５ｎｍ〜１０ｎｍの範囲、例えば、６ｎｍ〜７ｎｍまたは６．５ｎｍ〜６．８ｎｍの範囲内のＥＵＶ波長に対して動作するように構成される。そうでない場合、リフレクタは、図３〜図６の実施形態に記載したかすめ入射リフレクタのうちの１つまたはそれらのかすめ入射リフレクタの組合せと同様の形態をとってよい。
【００６８】
[0078]  多層ミラー構造は、多数の積層単位を含むことができ、各積層単位は、例えば、第１サブユニットを形成する材料層と、第１サブユニットの上の第２サブユニットを形成する材料層とを有する一対の層を含む。第２サブユニットは、第１サブユニットの屈折率より低い屈折率を有する。第１サブユニットの材料は、Ｔｈ、Ｌａ、およびＵ、ならびにそのような重金属元素の窒化物、酸化物、ホウ化物、およびフッ化物から選択することができる。第２サブユニットの材料は、軽元素、特に、ホウ素Ｂ、およびＢ４ＣまたはＢ９Ｃなどの軽元素の炭化物を含む群から選択することができる。ＥＵＶ範囲の各波長に関して、材料の選択は非常に特有である。第１ミラー層３１０または５１０は、多層構造の第１サブユニットに類似の材料、例えば、ＴｈまたはＴｈＯ２から形成され得る。第２ミラー層３１４または５１４は、別の材料、例えば、ＴｈＯ２（Ｔｈの第１ミラー層の上にある場合）、またはＣｓＨ，もしくはＢ４ＣやＢ９Ｃの薄層から形成され得る。
【００６９】
[0079]  図７は、反射率Ｒに対するＥＵＶ放射かすめ入射角θ（度）での、２つの例示的なかすめ入射リフレクタについての計算プロットを示している。そのような計算を行い、必要に応じて物理実験で補って、所望の角度範囲にわたる性能に関してリフレクタの設計を最適化することができる。ＥＵＶ放射の波長は６．７ｎｍである。この例示的なかすめ入射リフレクタのシミュレーションプロットにおいて、第１ミラー層はＴｈＯ２から形成され、多層ミラー構造の第１および第２サブユニットはＴｈＯ２およびＢ４Ｃの対になる。図７において、曲線７１０は、周期１ｎｍおよび比率Γ＝０．３を有する多層ミラー構造の上の厚さ４０ｎｍの第１ミラー層を有するサンプルの反射率を表す。曲線７２０は、周期１５ｎｍおよび比率Γ＝０．７を有する多層ミラー構造（Ｂ４Ｃが上にある）の上の１６ｎｍの第１ミラー層の厚さを表す。図７によると、６．７ｎｍの波長を有するＥＵＶ放射に関して、厚さ４０ｎｍの第１ミラー層を有するかすめ入射リフレクタの反射率と比較して、厚さ１６ｎｍの第１ミラー層を有するかすめ入射リフレクタは、１２度〜１４度の範囲のθに対してより高い反射率を有することが分かる。０度〜１２度の範囲のθに関して、厚さ１６ｎｍの第１ミラー層を有するかすめ入射リフレクタは、厚さ４０ｎｍの第１ミラー層を有するかすめ入射リフレクタと同等の反射率を有する。単一の材料層を含む典型的な公知のかすめ入射リフレクタは、曲線７１０の例における第１ミラー層と同様に４０ｎｍの厚さを有するであろう。曲線７１０は、どうしてそのような厚い層の下に多層ミラー構造を設けても利点がもたらされないかということを示している。というのは、角度の第１範囲を超える放射は従来のかすめ入射リフレクタを通過しないからである。ただし、所与の反射率に関して、薄い第１ミラー層と、下にある多層ミラー構造とを有するかすめ入射リフレクタは、より高い角度許容度とともに有用な反射率を有することができる。曲線７２０によって表された１６ｎｍという値は、こうしたシミュレーションにおいて最適であることが分かっている。上にある第１ミラー層の厚さは、例えば２０ｎｍ未満とすることができ、例えば、１０ｎｍ〜２０ｎｍまたは１４ｎｍ〜２０ｎｍの範囲とすることができる。
【００７０】
[0080]  本発明の例示的なさらなる実施形態において、かすめ入射リフレクタは、１３ｎｍ〜１４ｎｍの範囲、例えば、１３．５ｎｍのＥＵＶ波長に対して動作するように構成され得る。かすめ入射リフレクタの多層ミラー構造は、多数の積層ユニットから形成され、各積層ユニットは、第１サブユニットと、第１サブユニットの上の第２サブユニットとを有し、第２サブユニットは、第１サブユニットの屈折率より低い屈折率を有する。第１サブユニットの材料は、Ｍｏ、Ｒｕ、およびダイヤモンドライクカーボン（ＤＬＣ）から選択される。第２サブユニットは、通常Ｓｉである。一実施形態において、第１ミラー層は１６ｎｍの厚さを有し、Ｒｕから形成される。第１ミラー層は、０度から約２５度まで及ぶかすめ入射角の第１範囲に対して５０％より高い反射率を有する。
【００７１】
[0081]  多層ミラー構造は、例えば２２度から約３０度まで及ぶかすめ入射角の第２範囲に対して５０％より高い反射率（または許容できる場合、いくらか低い閾値）を有し得る。
【００７２】
[0082]  図８は、反射率Ｒに対するＥＵＶ放射かすめ入射角θ（度）での、２つのかすめ入射リフレクタについての別の計算プロットを示している。ＥＵＶ放射の波長は１３．５ｎｍである。例示的なかすめ入射リフレクタのこのシミュレーションプロットにおいて、第１ミラー層はＲｕから形成され、多層ミラー構造のユニットは選択されＳｉおよびＭｏの対になる。図８において、曲線８１０は、第１ミラー層が１６ｎｍの厚さを有する際に描かれ、多層ミラー構造は１６ｎｍの周期を有し、比率Γは０．５である（Ｓｉが上にある）。一方、曲線８２０は、第１ミラー層が２０ｎｍの厚さを有する際に描かれ、多層ミラー構造は２ｎｍの周期を有し、比率Γは０．５である。図８は、１３．５ｎｍの波長を有するＥＵＶ放射を受けて、厚さ２０ｎｍの第１ミラー層を有するかすめ入射リフレクタの反射率と比較して、厚さ１６ｎｍの第１ミラー層を有するかすめ入射リフレクタは、２５度〜３０度の範囲のθに対してより高い反射率を有することを示している。０度〜２５度の範囲のθに関して、厚さ１６ｎｍの第１ミラー層を有するかすめ入射リフレクタは、厚さ２０ｎｍの第１ミラー層を有するかすめ入射リフレクタと同等の反射率を有する。従って、所与の反射率に関して、薄い第１ミラー層と、下にある多層ミラー構造とを有するかすめ入射リフレクタは、より高い角度許容度を有することができる。
【００７３】
[0083]  図９は、本発明の一実施形態に係る例示的なかすめ入射リフレクタ９００を示している。かすめ入射リフレクタ９００は、５ｎｍ〜１０ｎｍの範囲、例えば、６ｎｍ〜７ｎｍまたは６．５ｎｍ〜６．８ｎｍの範囲のＥＵＶ波長に対して動作するように構成される。かすめ入射リフレクタ９００は、基板９３０上に形成された多層ミラー構造９２０を含む。かすめ入射リフレクタ９００は、次に説明するように、多層ミラー構造９２０の異なる部分を介して異なるかすめ入射角でＥＵＶ放射を反射するように構成される。
【００７４】
[0084]  図１０は、図９に示す例示的な多層ミラー構造９２０を示している。多層ミラー構造９２０は、ＥＵＶ放射に対する高い反射率を示し得る。図１０に示すように、多層ミラー構造９２０は、多数の積層ユニット９２６から形成される。多層ミラー構造９２０は、数十から数百の積層ユニットを含み得る。
【００７５】
[0085]  各積層ユニット９２６は、第１サブユニット９２４と、第１サブユニット９２４の上の第２サブユニット９２２とを含む。本明細書に記載される例でのサブユニットは、最も高い有効な境界−振幅反射率を示す単純な材料層である。必要に応じて、より複雑なサブユニットを設けてよい。第２サブユニット９２２は、第１サブユニット９２４の屈折率より低い屈折率を有する。ユニットの数は、実際、数十であるが、３つしか図示されていない。一実施形態において、各ユニットの厚さｈ（反復構造の周期）およびサブユニットの厚さの比率は、所望の波長において、かつ所望の入射角範囲について、さまざまなサブユニットから反射されたＥＵＶ放射の光波の位相のアライメントを達成するように構成される。最大の反射率を達成するために、多層ミラー構造の周期および組成のうちの少なくとも１つが、かすめ入射リフレクタ９００リフレクタの異なる部分において、図９に示すα、α’、およびβなどの予想入射角に従ってリフレクタの異なる領域間で変化する。従って、図９に示すように、かすめ入射リフレクタ９００の異なる領域が異なる周期ｈ＝ｈ１、ｈ２、およびｈ３で構成される場合、異なるかすめ入射角α、α’、およびβでＥＵＶ放射をそれぞれ反射する。
【００７６】
[0086]  図１１は、多層ミラー（ＭＬＭ）構造９２０の周期ｈの関数としての、および入射角θの関数としての反射率Ｒの計算プロットを示している。図１１において、曲線１０１０は、シミュレーションプロットのＲ＝０．５の輪郭である。より多くの輪郭、例えば、Ｒ＝０．９、Ｒ＝０．８、…Ｒ＝０．３、Ｒ＝０．２等が描かれた場合、反射率は、所与の波長に関して、ＭＬＭの周期ｈと入射角の組合せによって複合的に決まることが分かるであろう。曲線１０１０の左側に向かって、反射率はおおむね増加し、右側に向かって減少する。増加する入射角に関して、Ｒ＝０．５の輪郭は周期ｈの非常に特有の範囲の境界となり、反射率はこの範囲の外側で非常に低い。曲線１０２０は、各入射角の最高反射率Ｒを示す周期値を示している。かすめ入射角αで放射３４０を強く反射する、周期ｈ１のＭＬＭが、角度βでは放射をそれほど強く反射しないことが分かる。一方、周期ｈ３のＭＬＭは、角度βで放射をより強く反射するが、角度αでは放射をそれほど強く反射しない。周期ｈをリフレクタの異なる部分において異なる値ｈ１、ｈ２、ｈ３に設定することによって、曲線１０２０を用いることにより、対応する予想入射角α、α’、βでの放射に関して反射率を最大化することができる。これは、シミュレーションおよび／または実験によって導出される。
【００７７】
[0087]  図９〜図１１に示す変化する角度を伴う構造はそのままで用いることができ、または、図３〜図８に示す実施形態におけるミラー層の下にある多層ミラー構造として用いることができる。ＭＬＭ構造の組成は、上述の通り、周期を変化させることによって、各周期内の構成材料層の比率を変化させることによって、または両方の組合せによって、変化させることができることが理解されるであろう。原則として、層内の材料層の素性は変化し得る。図１１に類似のプロットを計算して、異なる入射角での反射率に対する比率の影響をモデル化することができる。最大反射率の曲線を曲線１０２０と同様に引き、最適化ＭＬＭ構造の設計に用いることができる。
【００７８】
[0088]  上記実施形態に記載したかすめ入射リフレクタは、ＥＵＶ光学システムでの役割によって、湾曲してもよい。
【００７９】
[0089]  リソグラフィ装置１００において、コレクタチャンバ２１２は、本発明に係るかすめ入射ミラーを含み得る。照明システムＩＬ、投影システムＰＳ、またはそれら両方は、本発明に係るかすめ入射リフレクタを含み得る。コレクタチャンバ２１２、照明システムＩＬ、および／または投影システムのかすめ入射リフレクタの数、リフレクタの種類、およびリフレクタの位置は、リソグラフィ装置の所望の動作特性により決定され得る。広範囲の入射角がリフレクタにわたって均一に必要であるかどうか、または上述した変更を用いてリフレクタの異なる部分を異なる予想範囲の入射角に「調整する」ことができるかどうかは、個別の用途によって決まる。
【００８０】
[0090]  本発明のかすめ入射ミラーを、例えば、デバイス製造方法、またはＥＵＶ放射とかすめ入射ミラーとを用いる方法において、用いることができる。
【００８１】
製造方法
[0091]  金属コーティングを基板上に塗布する１つの方法は、原子層堆積（ＡＬＤ）によるものである。ＡＬＤは、自己限定的表面反応の交互のステップを用いて原子層を１つずつ堆積する。堆積される材料は、前駆体を介して設けられる。ＡＬＤ方法は、いくつかの金属、例えば、Ｍｏ、Ｔｉ、Ｒｕ、Ｐｄ、Ｉｒ、Ｐｔ、Ｒｈ、Ｃｏ、Ｃｕ、Ｆｅ、およびＮｉについて知られている。ＡＬＤの代わりに、電解成長（電気堆積）を用いて金属を堆積してよく、または、蒸発またはスパッタ堆積などによって金属を堆積することもできる。そのような方法の例は、導入部で述べたように先行技術文献に示されている。スパッタリングなどの方法は、Ｔｈ、Ｂ、Ｂ４Ｃ、Ｂ９Ｃなどの、６倍ｎｍ波長に合った材料に対して採用することが出来る。ＴｈＯ２、ＬａＯ２などを生成するために、初めにＴｈ層またはＬａ層を形成し、次にその層を酸化させてよい。あるいは、酸化雰囲気において金属ＴｈまたはＬａを堆積することにより、直接、酸化物層を形成してよい。後者の方法は、イオンビームまたは電子ビームにより層を研磨してラフネスを低減させることによって仕上げることができる。
【００８２】
[0092]  これらのプロセスは、単独で、または組み合わせて用いることができる。
【００８３】
[0093]  いくつかの異なる金属を用いることができるが、モリブデンは、その高融点および実証済みの真空適合性により魅力的な候補である。ただし、特に異なる波長の望ましいおよび／または望ましくない放射が用いられる場合、特徴的性質により他の材料を選択することができる。
【００８４】
[0094]  上記の説明は、制限ではなく例示を意図したものである。従って、当業者には明らかなように、添付の特許請求の範囲を逸脱することなく本記載の発明に変更を加えてもよい。
【００８５】
[0095]  本発明の範囲は上述の例示的な実施形態のいずれによっても限定されるべきでなく、以下の節および特許請求の範囲ならびにそれらの等価物によってのみ規定されるべきである。
１．極端紫外線（ＥＵＶ）放射用のかすめ入射リフレクタであって、
第１範囲のかすめ入射角で前記リフレクタに入射するＥＵＶ放射を少なくとも部分的に反射するように構成された第１ミラー層であって、入射角の該第１範囲に重なり、かつ該第１範囲を超えて及ぶ入射角の第２範囲でＥＵＶ放射を透過させるように構成された第１ミラー層と、
前記第２範囲のかすめ入射角で前記リフレクタに入射し、かつ前記第１ミラー層を通過する、ＥＵＶ放射を反射するように構成された、前記第１ミラー層の下の多層ミラー構造と、を備える、
かすめ入射リフレクタ。
２．前記第１ミラー層は、２０ｎｍ未満の厚さを有する、前記１に記載のかすめ入射リフレクタ。
３．角度の前記第１範囲内にある第３範囲のかすめ入射角でのＥＵＶ放射の向上した反射率をもたらすように構成された、前記第１ミラー層の上の第２ミラー層をさらに備える、前記１に記載のかすめ入射リフレクタ。
４．前記第２層は、１０ｎｍ未満の厚さを有し、０度から１０度未満まで及ぶかすめ入射角の範囲に対して４０％より高い反射率を有する、前記１に記載のかすめ入射リフレクタ。
５．前記第１ミラー層は、前記第２範囲のかすめ入射角でのＥＵＶ放射の向上した反射率をもたらすように、前記多層ミラー構造の表面の一部のみを占める、前記１に記載のかすめ入射リフレクタ。
６．前記リフレクタは、６ｎｍ〜７ｎｍの範囲のＥＵＶ波長に対して動作するように構成される、前記１に記載のかすめ入射リフレクタ。
７．前記第１ミラー層は、１５ｎｍ〜１７ｎｍの範囲の厚さを有し、ＴｈＯ２から形成され、０度より大きく１２度より小さいかすめ入射角の前記第１範囲に対して４０％より高い反射率を有する、前記６に記載のかすめ入射リフレクタ。
８．かすめ入射角の前記第２範囲は、１２度以上かつ１４度以下であり、
前記多層ミラー構造は、多数の積層エレメントから形成され、各積層エレメントは第１サブユニットと、該第１サブユニットの上の第２サブユニットとを有し、該第２サブユニットは該第１サブユニットの屈折率より低い屈折率を有する、前記７に記載のかすめ入射リフレクタ。
９．前記第１サブユニットおよび前記第２サブユニットの材料は、Ｔｈ、Ｌａ、Ｕ、Ｂ、重金属元素の窒化物、酸化物、ホウ化物、フッ化物、および軽元素の炭化物からなる群から選択される、前記８に記載のかすめ入射リフレクタ。
１０．前記リフレクタは、１３ｎｍ〜１４ｎｍの範囲のＥＵＶ波長に対して動作するように構成される、前記１に記載のかすめ入射リフレクタ。
１１．前記第１ミラー層は、１５ｎｍ〜１７ｎｍの範囲の厚さを有し、Ｒｕから形成され、０度より大きく２５度より小さいかすめ入射角の前記第１範囲に対して４０％より高い反射率を有する、前記１０に記載のかすめ入射リフレクタ。
１２．かすめ入射角の前記第２範囲は、２５度以上かつ３０度以下であり、
前記多層ミラー構造は、多数の積層エレメントから形成され、各積層エレメントは第１サブユニットと、該第１サブユニットの上の第２サブユニットとを有し、該第２サブユニットは該第１サブユニットの屈折率より低い屈折率を有する、前記１１に記載のかすめ入射リフレクタ。
１３．前記第１サブユニットおよび前記第２サブユニットの材料は、Ｍｏ、Ｓｉ、Ｒｕ、およびダイヤモンドライクカーボンからなる群から選択される、前記１２に記載のかすめ入射リフレクタ。
１４．前記多層ミラー構造の周期および組成のうちの少なくとも１つは、最大反射率のかすめ入射角が前記多層ミラー構造にわたって変化するように、前記多層ミラー構造にわたって変化する、前記１に記載のかすめ入射リフレクタ。
１５．前記１に記載のかすめ入射リフレクタを備える、リソグラフィ装置。
１６．極端紫外線（ＥＵＶ）放射を反射するように構成されたかすめ入射リフレクタを製造する方法であって、
多層ミラー構造の上の第１ミラー層と、前記多層ミラー構造の上の表面構造とを堆積することを含み、
前記第１ミラー層は、第１範囲のかすめ入射角で前記リフレクタに入射するＥＵＶ放射を少なくとも部分的に反射するように構成され、該第１ミラー層は、入射角の該第１範囲に重なり、かつ該第１範囲を超えて及ぶ入射角の第２範囲でＥＵＶ放射を透過させるように構成され、前記多層ミラー構造は、前記第２範囲のかすめ入射角で前記リフレクタに入射し、かつ前記第１ミラー層を通過する、ＥＵＶ放射を反射するように構成される、
方法。
１７．リソグラフィプロセスによりデバイスを製造する方法であって、
パターニングデバイスを、照明システムを介してＥＵＶ放射源からの極端紫外線（ＥＵＶ）放射で照明することと、
前記パターニングデバイスの像を、投影システムを介して前記ＥＵＶ放射の投影によって基板上に投影することと、を含み、
前記照明システムおよび前記投影システムのうちの少なくとも１つは、前記１に記載のかすめ入射リフレクタを備える、
方法。
【図１】
0006005069.tif 000003
【図２】
0006005069.tif 000004
【図３】
0006005069.tif 000005
【図４】
0006005069.tif 000006
【図５】
0006005069.tif 000007
【図６】
0006005069.tif 000008
【図７】
0006005069.tif 000009
【図８】
0006005069.tif 000010
【図９】
0006005069.tif 000011
【図１０】
0006005069.tif 000012
【図１１】
0006005069.tif 000013